【手続補正書】
【提出日】平成25年12月19日(2013.12.19)
【手続補正１】
【補正対象書類名】特許請求の範囲
【補正対象項目名】全文
【補正方法】変更
【補正の内容】
【特許請求の範囲】
【請求項１】
少なくとも1の発色団と染色堅牢部分を含んでいる官能基化された染料であって、前記発色団が、リンカーによって該染色堅牢部分に結合しており、前記染料が、式(Ia)：
【化１】
2013515101.tif 000001
〔式中、
Cは、式(IIg)：
【化２】
2013515101.tif 000002
で表される発色団であるか、または
Cは、以下の構造式：
【化３】
2013515101.tif 000003
で表される発色団であり、ここで
R7cは、リンカーLに結合しており；
R7a、R7b、R7d、R7e、R7f、R7g、R7h、R7i及びR7jは、それぞれ独立して、水素、ヒドロキシル、アルキル、アルケニル、アルキニル、アリール、アミノ、アルキルアンモニウム、スルホニル、カルボニル、カルボキシ、アルコキシ、アリールオキシ、ハロゲン、アシル、オキシミル、ヒドラジニル、-NO2、-CN、ヘテロ環式部分若しくはチオエーテルであり；
R26aは、リンカーLに結合しており；
Lは、式(III)：
【化４】
2013515101.tif 000004
で表されるリンカーであり、ここで
Lは、式(III)の左側を介して発色団Cを式(III)の右側を介して染色堅牢部分Fに共有結合的に連結しており；
a、b、c、d、e及びfは、それぞれ独立して、0〜2の整数であり(但し、a、b、c、d、e及びfのうちの少なくとも1は、0ではない)；
R40、R41、R42、R43、R44、R45、R46、R47、R48、R49、R50及びR51は、それぞれ独立して、存在していないか又は水素であり；
Eは、NR52又はNR53C=Oであり；
R52及びR53は、それぞれ独立して、水素又はアルキルであり；
Fは、式(Va)：
【化５】
2013515101.tif 000005
で表される染色堅牢部分であり、ここで
m、n、o、p、q及びrは、それぞれ独立して、0〜2の整数であり(但し、m、n、o、p、q及びrのうちの少なくとも1は、0ではない)；
R78、R79、R80、R81、R82、R83、R84、R85、R87、R88及びR89は、それぞれ独立して、水素であるか又は存在しておらず；
R86は、存在していないか又は水素若しくはヒドロキシルであり；
Kは、NR90、C(=O)NR92又はOC=Oであり；
Wは、NR95R96、CR97R98R99又はOR100であり；
R90及びR92は、それぞれ独立して、水素又はアルキルであり；
R95はアルキルであり且つR96は水素又はアルキルであり、又は、R95とR96は、それらが結合している窒素と一緒に連結して、1〜3個のヘテロ原子を含んでいる4〜8員のヘテロ環式環を形成し；
R97、R98及びR99は、水素、アルキル、アルコキシ又はヘテロアリールであり；及び、
R100は、水素又はアルキルである〕
で表される化合物又はその化粧品的に許容される塩である、前記染料。
【請求項２】
a、b、c及びdがそれぞれ0であり、e及びfがそれぞれ1であり、EがNR52であり、且つR52が水素である、請求項１に記載の染料。
【請求項３】
m、n及びoが0であり、p、q及びrがそれぞれ1であり、R84、R85、R86、R87；R88及びR89がそれぞれ水素であり、KがNR90であり、R90が水素である、請求項１に記載の染料。
【請求項４】
m、n、o及びpが0であり；q及びrがそれぞれ1であり、R86、R87；R88及びR89がそれぞれ水素であり；KがNR90であり且つR90が水素である、請求項１に記載の染料。
【請求項５】
前記染料が、以下の構造式：
【化６】
2013515101.tif 000006
〔式中、
aa及びbbは、それぞれ、1〜5の整数であり；
Aは、NRf又はNRfCOであり；
Dは、O(CO)、NRg又はCONRgであり；
Rf、Rg及びRhは、それぞれ独立して、水素又はアルキルであり；
Riは、アルキルであり；又は、RhとRiは、それらが結合している原子と一緒に連結して、1〜3個のヘテロ原子を含んでいる4〜8員のヘテロ環式環を形成している〕
で表される化合物又はその化粧品的に許容される塩である、請求項１に記載の染料。
【請求項６】
AがNRfであり、DがNRgであり、且つRfとRgがそれぞれ水素である、請求項５に記載の染料。
【請求項７】
RhとRiがそれぞれアルキルである、請求項６に記載の染料。
【請求項８】
前記アルキルがメチル、エチル又はヒドロキシエチルである、請求項７に記載の染料。
【請求項９】
RhとRiが連結して6員ヘテロ環式環を形成している、請求項６に記載の染料。
【請求項１０】
前記環がピペリジン環又はモルホリン環である、請求項９に記載の染料。
【請求項１１】
前記染料が、以下の構造式：
【化７】
2013515101.tif 000007
〔式中、
Rq及びRrは、それぞれ独立して、水素又はアルキルであり；
ee及びffは、それぞれ独立して、1〜5の整数であり；及び、
Rs及びRtは、それぞれ、アルキルであり、又は、RsとRtは、それらが結合している原子と一緒に、1個若しくは2個のヘテロ原子を含んでいる4〜8員のヘテロ環式環を形成している〕
で表される化合物又はその化粧品的に許容される塩である、請求項５に記載の染料。
【請求項１２】
Rq及びRrがそれぞれ水素であり、eeが2であり、及び、ffが3である、請求項１１に記載の染料。
【請求項１３】
Rs及びRtがそれぞれアルキルである、請求項１２に記載の染料。
【請求項１４】
前記アルキルがメチル、エチル又はヒドロキシエチルである、請求項１３に記載の染料。
【請求項１５】
RsとRtが連結して6員ヘテロ環式環を形成している、請求項１１に記載の染料。
【請求項１６】
前記環がピペリジン環又はモルホリン環である、請求項１５に記載の染料。
【請求項１７】
前記染料が、以下の構造式：
【化８】
2013515101.tif 000008
〔式中、
Rv及びRwは、アルキルである〕
で表される化合物又はその化粧品的に許容される塩である、請求項１１に記載の染料。
【請求項１８】
Rv及びRwがそれぞれメチル、エチル又はヒドロキシエチルである、請求項１７に記載の染料。
【請求項１９】
請求項１に記載の染料であって、ここで
Cが、式(IIg)：
【化９】
2013515101.tif 000009
で表される発色団であり；
Lが、式(III)：
【化１０】
2013515101.tif 000010
で表されるリンカーであり；及び
Fが、式(Va)：
【化１１】
2013515101.tif 000011
で表される染色堅牢部分である
[式中
R7a、R7b、R7d、R7e、R7f、R7gおよびR7iは、それぞれ水素であり；
R7hは、-NO2であり；
R7jは、ハロゲンであり；
R7cは、Lに結合しており；
a、b、c、d及びeは、それぞれ0であり；
Eは、NR52であり；
R52は、アルキルであり；
fは、1であり；
R50及びR51は、それぞれ水素であり；
m、n及びoは、それぞれ0であり；
Kは、C(=O)NR92であり；
p、q及びrは、それぞれ1であり；
R84、R85、R87、R88、R89及びR92は、それぞれ水素であり；
R86は、水素若しくはヒドロキシルであり；
Wは、NR95R96、CR97R98R99又はOR100であり
R95及びR96は、それぞれアルキルであるか、または連結して環を形成し；
R97は、水素であり；
R98は、水素又はアルコキシであり；
R99は、アルコキシ又はヒドロキシルであり；及び
R100は、水素である]、
前記染料又はその化粧品的に許容される塩。
【請求項２０】
R84、R85、R86、R87、R88、R89及びR92はそれぞれ水素であり；WはNR95R96であり；且つR95及びR96はそれぞれアルキルである、請求項１９に記載の染料。
【請求項２１】
R84、R85、R86、R87、R88、R89及びR92はそれぞれ水素であり；WはNR95R96であり；且つR95及びR96は連結して環を形成する、請求項１９に記載の染料。
【請求項２２】
R84、R85、R86、R87、R88、R89及びR92はそれぞれ水素であり；WはCR97R98R99であり；R97は水素であり；且つR98及びR99はそれぞれアルコキシである、請求項１９に記載の染料。
【請求項２３】
R84、R85、R86、R87、R88、R89及びR92はそれぞれ水素であり；WはCR97R98R99であり；R97及びR98はそれぞれ水素であり；且つR99はヒドロキシルである、請求項１９に記載の染料。
【請求項２４】
R84、R85、R87、R88、R89及びR92はそれぞれ水素であり；R86はヒドロキシルであり；WはOR100であり；且つR100は水素である、請求項１９に記載の染料。
【請求項２５】
以下の
【化１２】
2013515101.tif 000012
2013515101.tif 000013
から選択される染料又はその化粧品的に許容される塩。
【請求項２６】
以下の構造式：
【化１３】
2013515101.tif 000014
で表される染料又はその化粧品的に許容される塩。
【請求項２７】
以下の構造式：
【化１４】
2013515101.tif 000015
で表される染料又はその化粧品的に許容される塩。
【請求項２８】
以下の構造式：
【化１５】
2013515101.tif 000016
で表される染料又はその化粧品的に許容される塩。
【請求項２９】
以下の構造式：
【化１６】
2013515101.tif 000017
で表される染料又はその化粧品的に許容される塩。
【請求項３０】
以下の構造式：
【化１７】
2013515101.tif 000018
で表される染料又はその化粧品的に許容される塩。
【請求項３１】
前記染料が非酸化染料である、請求項１〜３０のいずれか1項に記載の染料。
【請求項３２】
前記官能基化された染料が、官能基化されていない直接染料と比較してより大きな染色堅牢度を有する、請求項１〜３０のいずれか1項に記載の染料。
【請求項３３】
請求項１〜３０のいずれか1項に記載の少なくとも1種類の染料及びケラチン繊維を染色するのに適した媒体を含んでいる、染料組成物。
【請求項３４】
前記媒体が、さらに、界面活性剤、増粘剤、香料、金属イオン封鎖剤、UV-スクリーニング剤、蝋、シリコーン、防腐剤、発色剤、一次中間体、アルカリ化剤、直接染料、セラミド、油、ビタミン、プロビタミン、乳白剤、還元剤、酸化防止剤、乳化剤、安定化剤、溶媒及び緩衝剤のうちの1種類以上も含んでいる、請求項３３に記載の組成物。
【請求項３５】
毛髪を着色する方法であって、該毛髪に請求項１〜３０のいずれか1項に記載の少なくとも1種類の染料を含んでいる染料組成物を塗って、その毛髪に着色することを含む、前記方法。
【請求項３６】
前記毛髪に着色することが、髪をハイライトすること又は根元をタッチアップすることである、請求項３５に記載の方法。
【請求項３７】
請求項１〜３０のいずれか1項に記載の少なくとも1種類の染料を含んでいる染料組成物及び使用説明書を含んでいる、キット。
【請求項３８】
毛髪に着色する方法であって、
(a)毛髪を、アンモニアの存在下、及び、場合により過酸化水素の存在下で、約1〜約60分間、酸化染料で処理する段階；
(b)場合により前記毛髪を濯ぎ洗う段階；及び、場合により部分的にその毛髪を乾燥させる段階；
(c)前記毛髪を、約1〜60分間、請求項１〜３０のいずれか1項に記載の少なくとも1種類の染料を含んでいる染料組成物で処理する段階；及び、
(d)前記毛髪を濯ぎ洗う段階；
を含む、前記方法。
【請求項３９】
さらに、
(e)前記毛髪をシャンプーで洗浄する段階；及び/又はその毛髪を濯ぎ洗った後で、その毛髪をコンディショナーでコンディショニングする段階；
(f)前記毛髪を濯ぎ洗う段階；及び
(g)場合により前記毛髪を乾燥させる段階；
の1つ以上を含む、請求項３８に記載の方法。